【手続補正書】
【提出日】平成24年10月19日(2012.10.19)
【手続補正１】
【補正対象書類名】特許請求の範囲
【補正対象項目名】全文
【補正方法】変更
【補正の内容】
【特許請求の範囲】
【請求項１】
軟組織の経皮的な修復のためのシステムであって、前記システムは、
基端側作動部と、
内腔を有するとともに前記基端側作動部から先端方向に延びる固定針と、
内腔を有するとともに前記基端側作動部から先端方向に延びる可動針と、
前記固定針と前記可動針のうちの一方の内腔に配置される縫合糸用の針と、
前記固定針と前記可動針のうちの前記一方の内腔に配置される針把持具と、
前記固定針と前記可動針の他方の内腔に配置される第二の針把持具と、
を含む機器を含み、
前記可動針は、前進位置と後退位置との間で、前記基端側作動部に対して軸方向に移動可能であり、
前記縫合用の針は、同針に連結される一定の長さの縫合糸を有し、
前記針把持具は前記縫合用の針の基端側に位置するとともに、その先端に配置される把持用ジョーを有し、前記把持用ジョーは閉じた方向と開いた方向との間にて移動可能であり、かつ前記把持用ジョーは、前記縫合糸用の針の第一の端部に固定されるように構成され、
前記第二の針把持具はその先端に配置される把持用ジョーを有し、前記把持用ジョーは閉じた方向と開いた方向との間にて移動可能であり、かつ前記把持用ジョーは、前記縫合糸用の針の第二の端部に固定されるように構成される、システム。
【請求項２】
前記縫合糸用の針は、前記第一の端部に配置される第一のカラーと前記第二の端部に配置される第二のカラーとを有する可撓性のワイヤを有し、更に、前記針把持具の各々の把持用ジョーは、前記縫合糸用の針を固定すべく前記カラーと容易に係合する、請求項１に記載のシステム。
【請求項３】
軟組織の経皮的な修復のためのシステムであって、前記システムは、
基端側作動部と、
内腔を有するとともに前記基端側作動部から先端方向に延びる固定針と、
内腔を有するとともに前記基端側作動部から先端方向に延びる可動針と、
前記固定針と前記可動針のうちの一方の内腔に配置される縫合糸用の針と、
前記固定針と前記可動針のうちの前記一方の内腔に配置される針把持具と  、
前記縫合糸用の針上にコイルと、
を含む機器を含み、
前記可動針は、前進位置と後退位置との間で、前記基端側作動部に対して軸方向に移動可能であり、
前記縫合用の針は、同針に連結される一定の長さの縫合糸を有し、
前記針把持具は前記縫合用の針の基端側に位置するとともに、その先端に配置される把持用ジョーを有し、前記把持用ジョーは閉じた方向と開いた方向との間にて移動可能であり、かつ前記把持用ジョーは、前記縫合糸用の針の第一の端部に固定されるように構成され、
前記コイルは、前記縫合糸用の針に沿って摺動可能であり、前記一定の長さの縫合糸は前記コイルに連結されている、システム。
【請求項４】
請求項３に記載のシステムは、前記固定針と前記可動針の他方の内腔に配置される第二の針把持具を更に含み、前記第二の針把持具はその先端に配置される把持用ジョーを有し、前記把持用ジョーは閉じた方向と開いた方向との間にて移動可能であり、かつ前記把持用ジョーは、前記縫合糸用の針の第二の端部に固定されるように構成される、システム。
【請求項５】
前記固定針は、その先端が湾曲している、請求項１に記載のシステム。
【請求項６】
前記可動針は直線である、請求項１に記載のシステム。
【請求項７】
請求項１に記載のシステムは、前記作動部上に、前記可動針を軸方向に移動させるためのアクチュエータを更に含む、システム。
【請求項８】
請求項１に記載のシステムは、前記作動部上に、前記可動針と前記固定針との間にて前記縫合糸用の針を移動させるためのアクチュエータを更に含む、システム。
【請求項９】
前記固定針及び前記可動針のうちの前記一方の内腔は、直径のより小さい部分と直径のより大きい部分とを有し、前記直径のより大きい部分は前記直径のより小さい部分の先端側にあり、それにより、前記針把持具が前記固定針及び前記可動針の前記一方の内腔内を先端方向に移動する場合、同針把持具は前記直径のより小さい部分から前記直径のより大きい部分に移動し、同直径のより小さい部分では、把持用のジョーはその位置にて縫合糸用の針の第一の端部を把持するためにその閉じた方向へと移動させられ、同直径のより大きい部分へ移動すると、把持用のジョーは縫合糸用の針の第一の端部を解放するためにその開いた方向に移動する、請求項１に記載のシステム。
【請求項１０】
前記固定針及び前記可動針のうちの前記他方の内腔は、直径のより小さい部分と直径のより大きい部分とを有し、前記直径のより大きい部分は前記直径のより小さい部分の先端側にあり、それにより、前記第二の針把持具が前記固定針及び前記可動針の前記他方の内腔内を基端方向に移動する場合、前記直径のより大きい部分から前記直径のより小さい部分に移動し、同直径のより大きい部分では、前記把持用のジョーはその開いた方向に解放され、同直径のより小さい部分へ移動すると、前記第二の把持用のジョーはその位置にて縫合糸用の針の第二の端部を把持するためにその閉じた方向へと移動させられる、請求項１に記載のシステム。
【請求項１１】
前記針把持具の各々は、それぞれの把持具が配置される針に対して移動可能であり、かつその針の内腔内にある、請求項１に記載のシステム。
【請求項１２】
軟組織の経皮的な修復のためのシステムであって、前記システムは、
基端側作動部と、
内腔を有するとともに前記基端側作動部から先端方向に延びる湾曲した針と、
内腔を有するとともに前記基端側作動部から先端方向に延びる直線状の可動針と、
前記直線状の可動針と前記湾曲した針とのうちの一方の内腔に配置される縫合糸用の針と、
前記直線状の可動針と前記湾曲した針とのうちの前記一方の内腔に配置される針把持具と、
前記直線状の可動針と前記湾曲した針とのうちの他方の内腔に配置される第二の針把持具と
を含む機器を含み、
前記可動針は、前進位置と後退位置との間で、基端側作動部に対して軸方向に移動可能であり、
前記縫合用の針は、同針に連結される一定の長さの縫合糸を有し、
前記針把持具は前記縫合用の針の基端側に位置するとともに、その先端に配置される把持用ジョーを有し、前記把持用ジョーは閉じた方向と開いた方向との間にて移動可能であり、前記把持用ジョーは、前記縫合糸用の針の第一の端部に固定されるように構成され、かつ前記針把持具は前記直線状の可動針と前記湾曲した針とのうちの前記一方の内腔内を、同針に対して軸方向に移動可能であり、
前記第二の把持具はその先端に配置される把持用ジョーを有し、前記把持用ジョーは閉じた方向と開いた方向との間にて移動可能であり、前記第二の把持具のジョーは前記縫合糸用の針の第二の端部に固定されるように構成され、かつ前記第二の針把持具は前記直線状の可動針と前記湾曲した針とのうちの前記他方の内腔内を、同針に対して軸方向に移動可能である、システム。
【請求項１３】
前記縫合糸用の針は、前記第一の端部に配置される第一のカラーと前記第二の端部に配置される第二のカラーとを有する可撓性のワイヤを有し、更に、前記針把持具の各々の把持用ジョーは、前記縫合糸用の針を固定すべく前記カラーと容易に係合する、請求項１２に記載のシステム。
【請求項１４】
請求項１３に記載のシステムは、前記縫合糸用の針上にコイルを更に含み、前記コイルは、前記縫合糸用の針に沿って摺動可能であり、前記一定の長さの縫合糸は前記コイルに連結されている、システム。
【請求項１５】
請求項１２に記載のシステムは、前記作動部上に、前記直線状の可動針を軸方向に移動させるためのアクチュエータを更に含む、システム。
【請求項１６】
請求項１４に記載のシステムは、前記作動部上に、前記直線状の可動針と前記湾曲した針との間にて前記縫合糸用の針を移動させるためのアクチュエータを更に含む、システム。
【請求項１７】
前記直線状の前記可動針及び前記湾曲した針の各々の内腔は、直径のより小さい部分と直径のより大きい部分とを有し、前記直径のより大きい部分は前記直径のより小さい部分の先端側にあり、それにより、対応する各々の針の針把持具が同針の内腔内を先端方向に移動する場合、同針把持具は前記直径のより小さい部分から前記直径のより大きい部分に移動し、同直径のより小さい部分では、把持用のジョーはその位置にて縫合糸用の針の端部のうちの一方を把持するためにその閉じた方向へと移動させられ、同直径のより大きい部分へ移動すると、把持用のジョーは縫合糸用の針の端部を解放するためにその開いた方向に移動し、更に、対応する各々の針の針把持具が同針の内腔内を基端方向に移動する場合、同針把持具は前記直径のより大きい部分から前記直径のより小さい部分に移動し、同直径のより大きい部分では、把持用のジョーはその開いた方向に解放され、同直径のより小さい部分へ移動すると、前記把持用のジョーはその位置にて縫合糸用の針の端部を把持するためにその閉じた方向へ移動させられる、請求項１２に記載のシステム。
【請求項１８】
前記固定針は、その先端が湾曲している、請求項３に記載のシステム。
【請求項１９】
前記可動針は直線である、請求項３に記載のシステム。
【請求項２０】
請求項３に記載のシステムは、前記作動部上に、前記可動針を軸方向に移動させるためのアクチュエータを更に含む、システム。
【請求項２１】
請求項３に記載のシステムは、前記作動部上に、前記可動針と前記固定針との間にて前記縫合糸用の針を移動させるためのアクチュエータを更に含む、システム。
【請求項２２】
前記固定針及び前記可動針のうちの前記一方の内腔は、直径のより小さい部分と直径のより大きい部分とを有し、前記直径のより大きい部分は前記直径のより小さい部分の先端側にあり、それにより、前記針把持具が前記固定針及び前記可動針の前記一方の内腔内を先端方向に移動する場合、同針把持具は前記直径のより小さい部分から前記直径のより大きい部分に移動し、同直径のより小さい部分では、把持用のジョーはその位置にて縫合糸用の針の第一の端部を把持するためにその閉じた方向へと移動させられ、同直径のより大きい部分へ移動すると、把持用のジョーは縫合糸用の針の第一の端部を解放するためにその開いた方向に移動する、請求項３に記載のシステム。
【手続補正２】
【補正対象書類名】明細書
【補正対象項目名】発明の名称
【補正方法】変更
【補正の内容】
【発明の名称】軟組織の経皮的な修復のためのシステム